(57)【要約】【課題】本発明は、デュアルモデムデバイスのサスペンドモード制御に関する。【解決手段】第２の通信網と通信するための第２のプロセッサは、サスペンドモードに遷移するために第１の通信網と通信するための第１のプロセッサに動作中止メッセージを伝達し、第２のプロセッサ側ＩＰＣインターフェースモジュールの動作を中止させ、第１のプロセッサは、動作中止メッセージを受信した場合、第２のプロセッサに動作中止応答メッセージを伝達し、第１のプロセッサ側ＩＰＣインターフェースモジュールの動作を中止させる。【選択図】図２
2011250397.tif 000002
【特許請求の範囲】
【請求項１】
第１の通信網と通信するための第１のプロセッサと、
前記第１のプロセッサを制御するためのホストモジュールを含んでおり、第２の通信網と通信するための第２のプロセッサと、を備え、
前記第１のプロセッサは、前記第２のプロセッサとの間での信号送受信のための第１のプロセッサ側プロセッサ間通信（ＩＰＣ）インタフェースモジュールを含み、
前記第２のプロセッサは、前記第１のプロセッサとの間での信号送受信のための第２のプロセッサ側ＩＰＣインタフェースモジュールを含み、
前記第２のプロセッサは、サスペンドモードに遷移するために前記第１のプロセッサに動作中止メッセージを伝達し、前記第２のプロセッサ側ＩＰＣインタフェースモジュールの動作を中止させ、
前記第１のプロセッサは、前記動作中止メッセージを受信した場合、前記第２のプロセッサに動作中止応答メッセージを伝達し、前記第１のプロセッサ側ＩＰＣインタフェースモジュールの動作を中止させることを特徴とするデュアルモデムデバイス。
【請求項２】
前記第１のプロセッサ及び前記第２のプロセッサはそれぞれ、
前記動作中止メッセージ及び前記動作中止応答メッセージを送受信するためのハードウェアモジュールを更に含むことを特徴とする、請求項１に記載のデュアルモデムデバイス。
【請求項３】
前記第１のプロセッサは、
動作中止中に前記第１の通信網からデータを受信した場合、前記第２のプロセッサに動作中止解除メッセージを前記ハードウェアモジュールを介して伝達し、前記第１のプロセッサ側ＩＰＣインタフェースモジュールを動作させ、
前記動作中止解除メッセージを受けた前記第２のプロセッサは、前記第２のプロセッサ側ＩＰＣインタフェースモジュールを動作させることを特徴とする、請求項２に記載のデュアルモデムデバイス。
【請求項４】
前記第２のプロセッサは、
前記第２のプロセッサ側ＩＰＣインタフェースモジュールを動作させた後、前記第１のプロセッサから前記データを受信することを特徴とする、請求項３に記載のデュアルモデムデバイス。
【請求項５】
前記第２のプロセッサがサスペンドモードに遷移した場合、
前記第１のプロセッサは、前記第１のプロセッサを通して前記第１の通信網と接続された各パケットデータ通信網（ＰＤＮ）のうち少なくとも一つの接続を、所定時間の経過後に解除することを特徴とする、請求項１に記載のデュアルモデムデバイス。
【請求項６】
前記第２のプロセッサがサスペンドモードに遷移した場合、
前記第１のプロセッサは、前記第１のプロセッサを通して前記第１の通信網と接続された各パケットデータ通信網のうち、データ送受信中のパケットデータ通信網のデータ伝送を中止し、前記データ伝送の中止点を記憶することを特徴とする、請求項１に記載のデュアルモデムデバイス。
【請求項７】
前記第１のプロセッサ側ＩＰＣインタフェースモジュール及び前記第２のプロセッサ側ＩＰＣインタフェースモジュールは、セキュアデジタル入出力（ＳＤＩＯ）モジュールであることを特徴とする、請求項１に記載のデュアルモデムデバイス。
【請求項８】
前記第１の通信網との間で送受信するデータは、
前記第２のプロセッサの前記ホストモジュールを経由することを特徴とする、請求項１に記載のデュアルモデムデバイス。
【請求項９】
前記複数のパケットデータ通信網は、
ＩＰマルチメディアサブシステム（ＩＭＳ）ＰＤＮ、インタネットＰＤＮ、管理ＰＤＮ、事業者専用アプリケーションＰＤＮを含むことを特徴とする、請求項５に記載のデュアルモデムデバイス。
【請求項１０】
前記所定の時間の経過後に接続が解除されるパケットデータ通信網は、
前記インタネットＰＤＮ及び前記事業者専用アプリケーションＰＤＮのうち少なくとも一つであることを特徴とする、請求項９に記載のデュアルモデムデバイス。
【発明の詳細な説明】
【技術分野】
【０００１】
本発明は、デュアルモデムデバイスに関するもので、より具体的には、デュアルモデムデバイスにおけるサスペンドモード制御方法及びそのための装置に関するものである。
【背景技術】
【０００２】
無線移動体通信分野は、音声通話だけでなく、データ高速送受信の面でも持続的に進化しており、現在、４世代移動体通信技術、例えば、長期進化（ＬＴＥ）無線通信システムが注目を受けている。しかし、４世代通信網と既に商用化された３世代通信網とが混在した状況で、移動機又は移動体通信データカードは、４世代移動体通信技術だけでなく、既に商用化されて現在幅広く使用されている３世代移動体通信技術を同時に含まなければならない。したがって、次世代の移動体通信技術と現世代の移動体通信技術とを同時にサポートするためには、デュアルモデムプロセッサを有する移動機又はデータカードタイプのデバイス（以下、デュアルモデムデバイスという）が必要になる。
【０００３】
デュアルモデムデバイスは、通信方式の異なる二つのモデムを搭載し、それぞれのモデムを利用した無線通信をサポートしており、主に異種の通信網が混在した地域で使用される。デュアルモデムデバイスの代表的な例として、ＬＴＥ方式の無線通信及び符号分割多元接続（ＣＤＭＡ）方式の無線通信をいずれも利用可能なデバイスが注目を集めている。本発明では、ＬＴＥ網及びＣＤＭＡ網のいずれとも通信可能なデュアルモデムデバイスを例に挙げて説明するが、他の方式の無線通信も適用可能であることは、本発明の属する技術分野で通常の知識を有する者にとって自明である。
【発明の概要】
【発明が解決しようとする課題】
【０００４】
上述したような論議に基づいて、以下では、デュアルモデムデバイスにおけるサスペンドモード制御方法及びそのための装置を提案する。
【課題を解決するための手段】
【０００５】
上述したような課題を解決するための本発明のデュアルモデムデバイスは、第１の通信網と通信するための第１のプロセッサと、前記第１のプロセッサを制御するためのホストモジュールを含んでおり、第２の通信網と通信するための第２のプロセッサとを含み、前記第１のプロセッサは、前記第２のプロセッサとの間での信号送受信のための第１のプロセッサ側プロセッサ間通信（ＩＰＣ）インタフェースモジュールを含み、前記第２のプロセッサは、前記第１のプロセッサとの間での信号送受信のための第２のプロセッサ側ＩＰＣインタフェースモジュールを含み、前記第２のプロセッサは、サスペンドモードに遷移するために前記第１のプロセッサに動作中止メッセージを伝達し、前記第２のプロセッサ側ＩＰＣインタフェースモジュールの動作を中止させ、前記第１のプロセッサは、前記動作中止メッセージを受信した場合、前記第２のプロセッサに動作中止応答メッセージを伝達し、前記第１のプロセッサ側ＩＰＣインタフェースモジュールの動作を中止させることを特徴とする。ここで、前記第１の通信網との間で送受信するデータは、前記第２のプロセッサの前記ホストモジュールを経由することを特徴とする。
【０００６】
望ましくは、前記第１のプロセッサ及び前記第２のプロセッサはそれぞれ、前記動作中止メッセージ及び前記動作中止応答メッセージを送受信するためのハードウェアモジュールを更に含むことを特徴とする。ここで、前記第１のプロセッサは、動作中止中に前記第１の通信網からデータを受信した場合、前記第２のプロセッサに動作中止解除メッセージを前記ハードウェアモジュールを介して伝達し、前記第１のプロセッサ側ＩＰＣインタフェースモジュールを動作させ、前記動作中止解除メッセージを受けた前記第２のプロセッサは、前記第２のプロセッサ側ＩＰＣインタフェースモジュールを動作させることを特徴とする。また、前記第２のプロセッサは、前記第２のプロセッサ側ＩＰＣインタフェースモジュールを動作させた後、前記第１のプロセッサから前記データを受信することを特徴とする。
【０００７】
一方、前記第２のプロセッサがサスペンドモードに遷移した場合、前記第１のプロセッサは、前記第１のプロセッサを通して前記第１の通信網と接続された各パケットデータ通信網（ＰＤＮ）のうち少なくとも一つの接続を、所定の時間の経過後に解除することを特徴とする。また、前記第２のプロセッサがサスペンドモードに遷移した場合、前記第１のプロセッサは、前記第１のプロセッサを通して前記第１の通信網と接続された各パケットデータ通信網のうち、データ送受信中のパケットデータ通信網のデータ伝送を中止し、前記データ伝送の中止点を記憶することを特徴とする。
【０００８】
ここで、前記複数のパケットデータ通信網は、ＩＰマルチメディアサブシステム（ＩＭＳ）ＰＤＮ、インターネットＰＤＮ、管理ＰＤＮ、事業者専用アプリケーションＰＤＮを含むことを特徴とする。前記所定の時間の経過後、接続が解除されるパケットデータ通信網は、前記インターネットＰＤＮ及び前記事業者専用アプリケーションＰＤＮのうち少なくとも一つであることが望ましい。
【０００９】
また、前記第１のプロセッサ側ＩＰＣインタフェースモジュール及び前記第２のプロセッサ側ＩＰＣインタフェースモジュールは、セキュアデジタル入出力（ＳＤＩＯ）モジュールであることを特徴とする。
【発明の効果】
【００１０】
本発明の実施例によると、デュアルモデムデバイスがサスペンドモードに遷移したり、サスペンドモードからウェイクアップする動作を効果的に制御することができる。
【００１１】
本発明で得られる効果は、以上で言及した各効果に制限されず、言及していない他の効果は、下記の記載を通して本発明の属する技術分野で通常の知識を有する者であれば明確に理解できるであろう。
【図面の簡単な説明】
【００１２】
【図１】本発明の実施例に係るデュアルモデムデバイス及びＰＣで構成される通信システムの構造を示すブロック図である。
【図２】本発明の実施例に係るデュアルモデムデバイスがサスペンドモードに遷移するための信号の流れを示す図である。
【図３】本発明の実施例に係るデュアルモデムデバイスがサスペンドモードに遷移するための信号の流れを示す他の図である。
【図４】本発明の実施例に係るデュアルモデムデバイスがサスペンドモードからウェイクアップするための信号の流れを示す図である。
【図５】本発明の実施例に係るデュアルモデムデバイスがサスペンドモードからウェイクアップするための信号の流れを示す他の図である。
【発明を実施するための形態】
【００１３】
以下、本発明の好適な実施形態を添付の図面を参照して詳細に説明する。添付の図面と共に以下で開示する詳細な説明は、本発明の例示的な実施形態を説明するためのもので、本発明が実施され得る唯一の実施形態を示すものではない。以下の詳細な説明は、本発明の完全な理解を提供するために具体的な細部事項を含む。しかし、当業者であれば、本発明がこのような具体的な細部事項なしでも実施できることを理解するであろう。例えば、以下の詳細な説明は、主な移動体通信システムが３ＧＰＰ  ＬＴＥシステムである場合を仮定して具体的に説明するが、３ＧＰＰ  ＬＴＥの特有な事項を除いては、他の任意の移動体通信システムにも適用可能である。
【００１４】
いくつかの場合、本発明の概念が曖昧になることを避けるために、公知の構造及び装置は省略されたり、各構造及び装置の核心機能を中心にしたブロック図の形式で図示される。また、本明細書の全般にわたって同一の構成要素については、同一の図面符号を使用して説明する。
【００１５】
さらに、以下の説明において、端末又はデバイスは、ユーザ装置（ＵＥ）、移動機（ＭＳ）などの移動型又は固定型のユーザ端機器を指すものとする。また、基地局は、ノードＢ、ｅノードＢ、基地局などの端末又はデバイスと通信するネットワーク端の任意のノードを指すものとする。
【００１６】
図１は、本発明の実施例に係るデュアルモデムデバイスのブロック構成図である。特に、図１において、デュアルモデムデバイスとしては、ＬＴＥモデムと、ＣＤＭＡネットワークと通信するためのホストプロセッサとを含むデバイスを例示しているが、複数のモデムを備えて異種網に接続できる如何なる形態のデバイスも使用可能であることは、本発明の属する技術分野で通常の知識を有する者にとって自明である。
【００１７】
図１を参照すると、本発明の通信システムのデュアルモデムデバイス１００は、ＬＴＥ通信網との通信を担当するＬＴＥモデム１１０と、ＣＤＭＡ通信網との通信を担当するホストプロセッサ１２０とを含み、ホストプロセッサ１２０は、アプリケーションを処理し、ＬＴＥモデムを制御するためのホストモジュール、すなわち、アプリケーションプロセッサ１３０と、ＣＤＭＡネットワークと通信するためのモデムプロセッサ１４０とを含むことができる。また、デバイスの記憶手段としてＮＡＮＤフラッシュメモリ１５０が含まれ、このＮＡＮＤフラッシュメモリ１５０はホストプロセッサ１２０と接続される。
【００１８】
ＬＴＥモデム１１０は、ホストプロセッサ１２０にＩＰＣインタフェース１６０を介して信号を伝達する。ここで、ＩＰＣインタフェース１６０の種類としては、ＳＤＩＯ、ＵＡＲＴなどがある。特に、ＬＴＥモデム１１０は、ホストプロセッサ１２０のアプリケーションプロセッサ１３０との間でＳＤＩＯを介してＬＴＥデータ信号と制御信号を送受信し、モデムプロセッサ１４０との間ではＵＡＲＴを介してハンドオーバと関連した制御信号を送受信することができる。
【００１９】
また、ホストプロセッサ１２０のモデムプロセッサ１４０は、無線接続技術間（インタ―ＲＡＴ）ハンドオーバー制御、インタ―ＲＡＴ信号品質制御、サービス、サービス品質（ＱｏＳ）及びＩＰアドレスのセッション制御などを担当する。
【００２０】
一方、はん用集積回路（ＩＣ）カード（ＵＩＣＣ）１７０がホストプロセッサ１２０に接続され、ホストプロセッサ１２０に含まれたモデムプロセッサ１４０が前記ＵＩＣＣ１７０を制御する。ＵＩＣＣ１７０とは、はん用加入者識別モジュール（ＵＳＩＭ）、ＣＤＭＡ加入者識別モジュール（ＣＳＩＭ）及びＩＰマルチメディアサービス識別モジュール（ＩＳＩＭ）を含み、一般に、ＵＳＩＭは、ＬＴＥ通信網に関するネットワークパラメータ及び認証関連アプリケーションなどを含み、ＣＳＩＭは、ＣＤＭＡ通信網に関するネットワークパラメータ及び認証関連アプリケーションなどを含む。また、ＩＳＩＭは、ＩＰマルチメディアサービスを提供するためのパラメータ及びアプリケーションを含む。
【００２１】
以下では、特別な言及がない限り、説明の便宜上、図１に示したデュアルモデムデバイスの構成を基準にして説明する。
【００２２】
一般に、ＬＴＥ通信網では、サービスを提供するためのパケットデータ通信網（ＰＤＮ）概念が存在し、これを通して、デバイスは、ＩＰの割り当てを受けるようになり、サービスに応じたサービス品質（ＱｏＳ）を設定することができる。
【００２３】
スマートフォンの発展とともに、マルチタスキング、すなわち、同時に複数のアプリケーションを実行する必要性が生じた。それぞれのアプリケーションが提供するサービスは、互いに異なるＱｏＳを有し、互いに異なるＰＤＮに接続することもできる。ここで、ＰＤＮの例としては、ＩＭＳ  ＰＤＮ、インターネットＰＤＮ、管理ＰＤＮ、事業者専用アプリケーションＰＤＮなどを挙げることができる。
【００２４】
一方、デュアルモデムデバイス、特に、デュアルモデムを備えたスマートフォンの場合は、電力管理のために最大節電モード、すなわち、サスペンドモードが存在する。デュアルモデムデバイスがサスペンドモードに遷移する場合、ホストプロセッサは最大節電モードになり、ＬＴＥプロセッサを制御するためのすべての機能が停止するようになる。
【００２５】
このような状況で、デュアルモデムデバイスがサスペンドモードに遷移する場合、接続維持が必要なＰＤＮだけを維持し、ＬＴＥ通信網から受信したデータによってホストプロセッサをウェイクアップさせなければならない。このような機能を付加するために、本発明では以下のような方法を提案する。
【００２６】
以下の図２〜図５は、ＬＴＥモデムとホストプロセッサのアプリケーションプロセッサ（ＡＰ）との間の信号の流れを示し、ＡＰは、ＬＴＥモデムの制御及びＬＴＥデータの処理のためのＬＴＥ接続管理部（ＣＭ）と、ＩＰＣインタフェースを制御するためのデバイスドライバとを含む。
【００２７】
図２は、本発明の実施例に係るデュアルモデムデバイスがサスペンドモードに遷移するための信号の流れを示す図である。
【００２８】
図２を参照すると、段階２０１のように、ＡＰとＬＴＥモデムは、ＬＴＥ通信網からデータを受信したり、ＬＴＥ通信網にデータを送信したりしていると仮定する。すなわち、ＬＴＥモデムが活性状態であると仮定する。ＬＴＥ通信網から受信したり、ＬＴＥ通信網に送信したりしなければならないデータは、ＬＴＥプロセッサで直接処理されるものではなく、ホストプロセッサを経由して処理される。この場合、段階２０２でユーザの要求に応じて、又は特定時間の経過と共に、サスペンドモードの開始命令がデバイスドライバに伝達される。
【００２９】
デバイスドライバは、段階２０３でＬＴＥ  ＣＭにサスペンドモードに遷移するための過程を開始することを知らせる。これに対する応答として、ＬＴＥ  ＣＭは、段階２０４でＬＴＥ通信網との間でのデータ送受信を中断するためにＲＲＣ  ＩＤＬＥ命令をデバイスドライバに伝達し、デバイスドライバは、段階２０５でＩＰＣインタフェースであるＳＤＩＯを介して前記ＲＲＣ  ＩＤＬＥ命令をＬＴＥモデムに転送する。
【００３０】
続いて、ＬＴＥモデムは、ＬＴＥデータの処理を中断し、休止状態に遷移すると同時に、段階２０７でＲＲＣ  ＩＤＬＥ応答信号をＩＰＣインタフェースであるＳＤＩＯを介してデバイスドライバに伝達する。また、段階２０８で、デバイスドライバは、前記ＲＲＣ  ＩＤＬＥ応答信号をＬＴＥ  ＣＭに転送する。
【００３１】
一方、ＲＲＣ  ＩＤＬＥ応答信号を受けたＬＴＥ  ＣＭは、サスペンドモードへの遷移命令を段階２０９でデバイスドライバに伝達する。この場合、デバイスドライバは、段階２１０でＬＴＥモデムに動作中止メッセージ、すなわち、「Ｅｎｔｅｒ  ＰＳ」（節電モード開始）メッセージを伝達する。「Ｅｎｔｅｒ  ＰＳ」メッセージを受信したＬＴＥモデムは、段階２１１で最大節電モードを開始するという意味の応答である「Ｅｎｔｅｒ  ＰＳ  Ｄｏｎｅ」メッセージをデバイスドライバに伝達すると同時に、段階２１２でＬＴＥプロセッサ側のＩＰＣインタフェースが動作しないように設定する。
【００３２】
続いて、「Ｅｎｔｅｒ  ＰＳ  Ｄｏｎｅ」メッセージを受信したデバイスドライバは、段階２１３でホストプロセッサ側のＩＰＣインタフェースが動作しないように設定し、サスペンドモードへの遷移を完了したという応答を段階２１４でＬＴＥ  ＣＭに伝達する。
【００３３】
特に、段階２１０及び段階２１１の「Ｅｎｔｅｒ  ＰＳ」メッセージ及び「Ｅｎｔｅｒ  ＰＳ  Ｄｏｎｅ」メッセージは、ＩＰＣインタフェースを介して伝達されるものではなく、別途のハードウェア的な信号によって送受信され、これは、プロセッサに「Ｅｎｔｅｒ  ＰＳ」メッセージ及び「Ｅｎｔｅｒ  ＰＳ  Ｄｏｎｅ」メッセージのためのピン、すなわち、ハードウェアモジュールを別途に備えることによって具現することができる。
【００３４】
図３は、本発明の実施例に係るデュアルモデムデバイスがサスペンドモードに遷移するための信号の流れを示す他の図である。
【００３５】
図３を参照すると、ＬＴＥモデムは、ＬＴＥ通信網との間でデータを送受信しない休止状態にある。この場合、段階３０１でユーザの要求に応じて、又は特定時間の経過と共にサスペンドモードの開始命令がデバイスドライバに伝達される。
【００３６】
デバイスドライバは、段階３０２でＬＴＥ  ＣＭにサスペンドモードに遷移するための過程を開始することを知らせる。これを受信したＬＴＥ  ＣＭは、サスペンドモードへの遷移命令を段階３０３でデバイスドライバに伝達する。この場合、デバイスドライバは、段階３０４でＬＴＥモデムに動作中止メッセージ、すなわち、「Ｅｎｔｅｒ  ＰＳ」 メッセージを伝達する。「Ｅｎｔｅｒ  ＰＳ」 メッセージを受信したＬＴＥモデムは、段階３０５で最大節電モードを開始するという意味の応答として、「Ｅｎｔｅｒ  ＰＳ  Ｄｏｎｅ」 メッセージをデバイスドライバに伝達すると同時に、段階３０６でＬＴＥプロセッサ側のＩＰＣインタフェースが動作しないように設定する。
【００３７】
続いて、「Ｅｎｔｅｒ  ＰＳ  Ｄｏｎｅ」メッセージを受信したデバイスドライバは、段階３０７でホストプロセッサ側のＩＰＣインタフェースが動作しないように設定し、サスペンドモードへの遷移を完了したという応答を段階３０８でＬＴＥ  ＣＭに伝達する。
【００３８】
図２の場合と同様に、段階３０４及び段階３０５の「Ｅｎｔｅｒ  ＰＳ」メッセージ及び「Ｅｎｔｅｒ  ＰＳ  Ｄｏｎｅ」メッセージは、ＩＰＣインタフェースを介して伝達されるものではなく、別途のハードウェア的な信号によって送受信され、これは、プロセッサに「Ｅｎｔｅｒ  ＰＳ」メッセージと「Ｅｎｔｅｒ  ＰＳ  Ｄｏｎｅ」メッセージのためのピンを別途に備えることによって具現することができる。
【００３９】
図４は、本発明の実施例に係るデュアルモデムデバイスがサスペンドモードからウェイクアップするための信号の流れを示す図である。
【００４０】
図４を参照して説明すると、段階４０１で、ＬＴＥ  ＣＭは、ユーザからサスペンドモードからウェイクアップするための命令を受信する。例えば、ユーザは、サスペンドモードからウェイクアップするための別途に設定されたキー（例えば、電源キー）を操作して、このような命令信号を発生させることができる。
【００４１】
ＬＴＥ  ＣＭは、段階４０２で再開命令をデバイスドライバに伝達し、デバイスドライバは、段階４０３でＬＴＥモデムに動作中止状態からのウェイクアップ命令、すなわち、「Ｅｘｉｔ  ＰＳ」メッセージを伝達する。「Ｅｘｉｔ  ＰＳ」メッセージを受信したＬＴＥモデムは、段階４０４でＬＴＥプロセッサ側のＩＰＣインタフェースが動作するように設定し、これと同時に、段階４０５で最大節電モードからウェイクアップするという意味の「Ｅｘｉｔ  ＰＳ  Ｄｏｎｅ」メッセージをデバイスドライバに伝達する。
【００４２】
最後に、「Ｅｘｉｔ  ＰＳ  Ｄｏｎｅ」メッセージを受けたデバイスドライバは、ホストプロセッサ側のＩＰＣインタフェースが動作するように設定する。
【００４３】
上述したように、「Ｅｘｉｔ  ＰＳ」メッセージ及び「Ｅｘｉｔ  ＰＳ  Ｄｏｎｅ」メッセージは、ＩＰＣインタフェースを介して伝達されるものではなく、別途のハードウェア的な信号によって送受信され、これは、プロセッサに「Ｅｘｉｔ  ＰＳ」メッセージ及び「Ｅｘｉｔ  ＰＳ  Ｄｏｎｅ」メッセージのためのピンを別途に備えることによって具現することができる。
【００４４】
図５は、本発明の実施例に係るデュアルモデムデバイスがサスペンドモードからウェイクアップするための信号の流れを示す他の図である。
【００４５】
図５を参照して説明すると、休止状態にあるＬＴＥモデムは、段階５０１でＬＴＥ通信網からのデータを受信する。例えば、ＬＴＥ通信網からＳＭＳメッセージを受信することができる。これを受信したＬＴＥモデムは、段階５０２でＬＴＥプロセッサ側のＩＰＣインタフェースが動作するように設定し、ホストプロセッサがサスペンドモードからウェイクアップするための命令、すなわち、「ＰＳ  Ｗａｋｅ  ｕｐ」メッセージをデバイスドライバに伝達する。
【００４６】
「ＰＳ  Ｗａｋｅ  ｕｐ」メッセージを受けたデバイスドライバは、段階５０４でホストプロセッサ側のＩＰＣインタフェースが動作するように設定し、これに対する応答として、段階５０５で「ＰＳ  Ｗａｋｅ  ｕｐ  ｄｏｎｅ」メッセージをＬＴＥモデムに伝達することができる。
【００４７】
続いて、ＩＰＣインタフェースが動作するように設定されたＬＴＥモデムは、活性状態に遷移し、段階５０６でＬＴＥ通信網から受信したデータをＩＰＣインタフェースであるＳＤＩＯを介してホストプロセッサのデバイスドライバに伝達する。最後に、段階５０７で、デバイスドライバは、受信データをＬＴＥ  ＣＭに伝達し、これをＩＰスタックで処理するように制御する。
【００４８】
図５の場合も、「ＰＳ  Ｗａｋｅ  ｕｐ」メッセージ及び「ＰＳ  Ｗａｋｅ  ｕｐ  ｄｏｎｅ」メッセージは、ＩＰＣインタフェースを介して伝達されるものではなく、別途のハードウェア的な信号によって送受信され、これは、プロセッサに「ＰＳ  Ｗａｋｅ  ｕｐ」メッセージ及び「ＰＳ  Ｗａｋｅ  ｕｐ  ｄｏｎｅ」メッセージのためのピンを別途に備えることによって具現することができる。
【００４９】
以下では、本発明のデュアルモデムデバイスがサスペンドモードに遷移した場合、接続された各ＰＤＮの接続制御方法について説明する。上述したように、ＬＴＥモデムは、サービスを行うためにＩＭＳ  ＰＤＮ、インターネットＰＤＮ、管理ＰＤＮ、事業者専用アプリケーションＰＤＮなどと接続される。
【００５０】
まず、サスペンドモードに遷移する場合、既に接続されているすべてのＰＤＮの接続を維持する方法を考慮することができる。具体的には、アプリケーションプロセッサとＬＴＥプロセッサとの間のＩＰＣインタフェースであるＳＤＩＯを遮断し、ＬＴＥ通信網に対する接続はすべて維持した状態でＡＰの動作だけを中断する方法である。
【００５１】
ただし、前記４個のＰＤＮのうち優先順位の低いＰＤＮは、インターネットＰＤＮ及び事業者専用アプリケーションＰＤＮであるので、所定の時間が経過した場合、前記インターネットＰＤＮと事業者専用アプリケーションＰＤＮとの接続は終了するように設定することが望ましい。
【００５２】
一方、サスペンドモードに遷移するとき、特定のアプリケーションが動作中であれば、前記特定のアプリケーションのためのＰＤＮの接続を優先順位と関係なく維持する方法も考慮することができる。また、ＲＲＣ  ＩＤＬＥ命令だけで、ＬＴＥモデムの内部でＩＭＳ  ＰＤＮ、管理ＰＤＮを除いた残りの各ＰＤＮの接続を解除する方法も考慮することができる。
【００５３】
最後に、サスペンドモードに遷移するとき、ＩＭＳ  ＰＤＮ／管理ＰＤＮデータが伝送中である場合に問題が生じるおそれがある。この場合、データ伝送を中断し、伝送中断点を記憶した後、サスペンドモードに遷移することが望ましい。すなわち、 伝送中断点を記憶させてから、サスペンドモードに入る。
【００５４】
以上説明した各実施例は、本発明の各構成要素及び特徴が所定形態で結合されたものである。各構成要素又は特徴は、別途の明示的な言及がない限り、選択的なものとして考慮されなければならない。各構成要素又は特徴は、他の構成要素又は特徴と結合されない形態で実施され得る。また、一部の構成要素及び／又は特徴を結合することによって、本発明の実施例を構成することも可能である。本発明の各実施例で説明される各動作の順序は変更可能である。一つの実施例の一部の構成や特徴は、他の実施例に含めることが可能であり、他の実施例の対応する構成又は特徴に取り替えられる。特許請求の範囲で明示的な引用関係のない各請求項を結合することによって実施例を構成したり、出願後の補正によって新しい請求項を含ませたりすることが可能であることは自明である。
【００５５】
本明細書では、本発明の各実施例を主に端末と基地局との間のデータ送受信関係に基づいて説明した。本明細書で基地局によって行われると説明した特定動作は、場合によっては、その上位ノードによって行われることもある。すなわち、基地局を含む複数のネットワークノードからなる通信網で端末との通信のために行われる多様な動作を、基地局又は基地局以外の他のネットワークノードによって行ってもよいことは自明である。基地局は、固定局、ノードＢ、ｅノードＢ（ｅＮＢ）、アクセスポイントなどの用語に置き換えてもよい。また、端末は、ユーザ装置（ＵＥ）、移動機（ＭＳ）、移動体加入者局（ＭＳＳ）などの用語に置き換えてもよい。
【００５６】
本発明に係る実施例は、多様な手段、例えば、ハードウェア、ファームウェア、ソフトウェア又はそれらの結合などによって具現される。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ及びマイクロプロセッサなどによって具現される。
【００５７】
ファームウェアやソフトウェアによる具現の場合、本発明の一実施例は、以上説明した機能又は動作を行うモジュール、手順、関数などの形態で具現される。ソフトウェアコードは、メモリユニット又は記録媒体に記憶された後、プロセッサによって駆動される。前記メモリユニットは、前記プロセッサの内部又は外部に位置し、既に公知となった多様な手段によって前記プロセッサとの間でデータを取り交わすことができる。
【産業上の利用可能性】
【００５８】
本発明がその特徴を逸脱しない範囲で他の特定の形態で具体化できることは、当業者にとって自明である。したがって、上述した詳細な説明は、すべての面で制限的に解釈してはならず、例示的なものとして考慮しなければならない。本発明の範囲は、本願請求項の合理的な解釈によって決定しなければならず、本発明と均等な範囲内でのすべての変更は本発明の範囲に含まれる。
【符号の説明】
【００５９】
１００    デュアルモデムデバイス
１１０    ＬＴＥモデム
１２０    ホストプロセッサ
１３０    アプリケーションプロセッサ
１４０    モデムプロセッサ
１７０    はん用ＩＣカード
【図１】
2011250397.tif 000003
【図２】
2011250397.tif 000004
【図３】
2011250397.tif 000005
【図４】
2011250397.tif 000006
【図５】
2011250397.tif 000007